(57)【要約】【課題】仕掛けの構造が簡素であり、しかも鼠を確実に捕獲することができる鼠捕獲具を提供する。【解決手段】開閉自在に対向配置され、開口時には鼠の侵入を可能にすると共に閉口時には鼠の捕獲を可能にする挟み片２、２を備えた挟み体１と、両挟み片２、２を閉口方向に常時付勢すると共に鼠の捕獲時には両挟み片２、２に鼠を挟圧させてその離脱を困難にするばね体５と、開口状態にした両挟み片２、２の間にその開口状態を維持するようにばね体５の付勢力に抗して突支状に介設され、両挟み片２、２間に侵入した鼠による噛み砕きにより破損崩壊すると同時にばね体５の付勢力による両挟み片２、２の閉口を生じさせる硬質棒状餌体７とからなる。【選択図】　　　　図１
2004049120.tif 000002
【特許請求の範囲】
【請求項１】
開閉自在に対向配置され、開口時には鼠の侵入を可能にすると共に閉口時には鼠の捕獲を可能にする挟み片を備えた挟み体と、両挟み片を閉口方向に常時付勢すると共に鼠の捕獲時には両挟み片に鼠を挟圧させてその離脱を困難にするばね体と、開口状態にした両挟み片の間にその開口状態を維持するようにばね体の付勢力に抗して突支状に介設され、両挟み片間に侵入した鼠による噛み砕きにより破損崩壊すると同時にばね体の付勢力による両挟み片の閉口を生じさせる硬質棒状餌体とからなる鼠捕獲具。
【請求項２】
挟み体を所定位置内に固定又は係留する手段を備えた請求項１に記載の鼠捕獲具。
【請求項３】
両挟み片に、硬質棒状餌体の各端部を受ける台座が設けられた請求項１又は２に記載の鼠捕獲具。
【請求項４】
挟み体が、鼠を両挟み片間に誘導する侵入路を備えた箱、袋又は筒からなる捕獲室内に設置された請求項１に記載の鼠捕獲具。
【請求項５】
両挟み片が支点を介して揺動可能に枢着されると共に各挟み片に支点を挟んで操作レバーが延設された請求項１、２、３又は４に記載の鼠捕獲具。
【発明の詳細な説明】
【０００１】
【産業上の利用分野】
本発明は、鼠を捕獲し、駆除するために用いる鼠捕獲具に関する。
【０００２】
【従来の技術】
鼠は、食料品、農作物、家具、建材等を食害し、ダニやノミ等の寄生主となり、病原菌を媒介し、民家に騒音を引き起こし、さらには電気、電信ケーブルやガス管等を破損して断線事故や火災を生じさせる害獣であり、それによる被害は重大且つ深刻である。
【０００３】
前記鼠を駆除する方法として、殺鼠剤等の毒物が混入した餌を鼠の通路上に配置して鼠に該餌を食させる方法のほか、鼠の通路上に粘着材を設置すると共に鼠を該粘着材に固着させて捕獲するものや、餌を仕掛けたケージ、箱その他の領域内に鼠が該餌を求めて侵入した時にばねの付勢力で鼠を挟圧し、或いはばね等の作用で前記領域の入口を閉鎖して鼠を捕獲するもの等が従来知られている。
【０００４】
しかしながら、殺鼠剤等の毒物入り餌を用いる方法では、小児や家畜、愛玩動物等が誤って該餌を口にする危険があり、また該餌を食した鼠が民家の天井裏等で死亡して環境衛生上の問題を生じる恐れもある。また、粘着材を用いるものでは、塵埃、虫等の付着、粘着成分の変性や乾燥等により表面粘着力が経時的に低下し易い。
【０００５】
さらに、仕掛けた餌を求めて領域内に侵入した鼠をばねで挟圧し、或いは領域入口を閉鎖して閉じ込めるものでは、仕掛けの構造が複雑であると共に作動までに若干の伝動時間を要し、また餌を実際に食する前に仕掛けが作動するため鼠に逃げられ易い。
【０００６】
【発明が解決しようとする課題】
本発明の課題は、仕掛けの構造が簡素であり、しかも鼠を確実に捕獲することができる鼠捕獲具を提供することにある。
【０００７】
【課題を解決するための手段】
本発明に係る鼠捕獲具は、開閉自在に対向配置され、開口時には鼠の侵入を可能にすると共に閉口時には鼠の捕獲を可能にする挟み片を備えた挟み体と、両挟み片を閉口方向に常時付勢すると共に鼠の捕獲時には両挟み片に鼠を挟圧させてその離脱を困難にするばね体と、開口状態にした両挟み片の間にその開口状態を維持するようにばね体の付勢力に抗して突支状に介設され、両挟み片間に侵入した鼠による噛み砕きにより破損崩壊すると同時にばね体の付勢力による両挟み片の閉口を生じさせる硬質棒状餌体とからなるものである。
【０００８】
前記構成において、鼠が開口状態の両挟み片間に侵入すると共に硬質棒状餌体をかじって噛み砕き始めると、ある時点で硬質棒状餌体が突然破損崩壊し、それと同時に両挟み片が突支を失ってばね体の付勢力により閉口すると共に鼠が該両挟み片により逃亡不能に挟圧されることになる。このとき、鼠は、硬質棒状餌体が突然破損崩壊するまでは該餌体を食することに集中しており、仕掛けの作動と同時又はその寸前に逃亡することが極めて困難な状態にある。
【０００９】
前記硬質棒状餌体として、鼠を挟圧し得るばね体の強力な付勢力に対して突支として十分耐えると共に鼠の噛み砕きにより容易に破損崩壊し、鼠の嗜好に沿った味や香りを有するスティック状菓子その他の食品、飼料、疑似食品等を好適に使用することができる。
【００１０】
前記両挟み片は、その閉口時に鼠を挟圧状態で確実に捕獲し得るように、例えば内側に湾曲させて間に鼠頭部付近を挟圧し得る空隙を形成し、先端で互いに接触又は近接させて鼠首部から胴部付近を締め付ける構造としても良い。また、両挟み片により挟圧状態で捕獲された鼠を該両挟み片で確実に把持させ得るように、両挟み片の内側に凹凸や鉤状突起を設けることもできる。さらに、前記両挟み片は、その閉口時に鼠を挟圧状態で確実に捕獲し得るように、前記のような形状、構造と共に所要の幅を有することが好ましい。
【００１１】
前記鼠捕獲具は、挟み体を所定位置内に固定又は係留する手段を備えることが好ましく、その構成によって、鼠捕獲具が、捕獲後の鼠の動きにより遠方に移動し、或いは行方不明等になることが防止される。挟み体は、前記手段により、移動不能に所定位置に不動状態で、或いは所要の可動範囲で移動可能に可動機構を介して固定されても良く、或いは所要の可動範囲で紐、ロープ等を介して移動可能に係留されていても良い。
【００１２】
また、前記両挟み片には、硬質棒状餌体の各端部を受ける台座が設けられることが好ましく、その構成によって、硬質棒状餌体を両挟み片間に安定に介設することができる。前記台座は、硬質棒状餌体の各端部を所定位置に一時的に係止、係合させる突起や凹部等であっても良い。
【００１３】
また、前記挟み体が、鼠を両挟み片間に誘導する侵入路を備えた箱、袋又は筒からなる捕獲室内に設置されていても良く、この構成によって、鼠は捕獲され易い侵入路で両挟み片間に誘導され、しかも消費者は、捕獲後の鼠を直接目にすることなく箱等の捕獲室に捕獲されたままで廃棄することが可能になる。
【００１４】
さらに、前記鼠捕獲具において、両挟み片の開閉機構として、両挟み片が支点を介して揺動可能に枢着されると共に各挟み片に支点を挟んで操作レバーが延設されていてもよく、その構成によって取扱者、消費者等は、操作レバーの梃子を利用した操作により、両挟み片を容易に開口させて硬質棒状餌体を仕掛け、交換し、或いは調整することができる。
【００１５】
【発明の実施の形態】
図１（Ａ）及び（Ｂ）は本発明の実施例に係る鼠捕獲具の各々平面図及び左側面図、図２は本発明の別の実施例に係る鼠捕獲具の一部断面で示す平面図である。
【００１６】
図１（Ａ）及び（Ｂ）に示す実施例において、挟み体１は、全体が内側に湾曲し、所要の長さ、幅及び厚みを有する両挟み片２、２が支点３を介して揺動可能に枢着されると共に各挟み片２に支点３を挟んで操作レバー４が延設されてなり、両挟み片２、２間に円形の強力なばね体５が両挟み片２、２をその閉口方向に付勢するように両操作レバー４を遊貫して介設されている。両挟み片２、２は、ばね体５の付勢力に抗する両操作レバー４、４の把握操作により開口可能とされている。
【００１７】
各挟み片２内側における支点３に近い位置には、内側に受け穴を有する台座６が設けられ、両挟み片２、２間には、その開口状態において、スティック状菓子からなる硬質棒状餌体７がその各端部を各挟み片２の台座６に係合させるようにして突支状に介設されている。
【００１８】
また、一方の操作レバー４先端には、挟み体１を所要の可動範囲内で移動可能に係留するためのロープ８が着脱可能に設けられている。
【００１９】
図２に示す実施例では、図１に示す鼠捕獲具がボール紙製の箱からなる捕獲室９内に設置されて別態様の鼠捕獲具とされ、該捕獲室には鼠を両挟み片２、２間に誘導する侵入路１０が開口されている。
【００２０】
【発明の効果】
本発明に係る鼠捕獲具は以上のように構成され、仕掛けの構造が簡素であり、鼠が餌を食している間に仕掛けが突然作動するので鼠に逃げられ難く、鼠を確実に捕獲することができる。
【図面の簡単な説明】
【図１】
（Ａ）及び（Ｂ）は本発明の実施例に係る鼠捕獲具の各々平面図及び左側面図である。
【図２】
本発明の別の実施例に係る鼠捕獲具の一部断面で示す平面図である。
【符号の説明】
１　挟み体
２　挟み片
３　支点
４　操作レバー
５　ばね体
６　台座
７　硬質棒状餌体
８　ロープ
９　捕獲室
１０　侵入路
【図１】
2004049120.tif 000003
【図２】
2004049120.tif 000004